(57)【特許請求の範囲】
【請求項１】
見ようとするテレビチャンネル放送、あるいは聴こうとするラジオ放送チャンネルをメディアと定義するとき、受信電界強度により出力可能なメディアを検出し、
該出力可能なメディアに応じた画像をディスプレイ画面に表示し、
所定のメディア画像を指示することにより、該画像に応じたメディアの出力を行い、
受信電界強度により出力不可能なメディアを検出し、
出力不可能なメディアを検出した場合には、該メディアの画像を消去すると共に、その表示位置を記憶し、
該消去したメディアが出力可能になった時、前記記憶してある表示位置に消去したメディア画像を表示する、
ことを特徴とするメディア画像表示方法。
【発明の詳細な説明】
【０００１】
【発明の属する技術分野】
本発明はメディア画像表示方法に係わり、特にメディア画像をディスプレイ画面に表示し、所定の画像を指示することにより、該画像に応じたメディアの出力を行うシステムのメディア画像表示方法に関する。
【０００２】
【従来の技術】
ディスプレイ画面に多数のメディア画像を表示し、所望のメディア画像を選択してシステム（装置）に該メディア画像に応じた動作を実行させるシステムがある。例えば、ＣＤ、ＴＶ放送、ラジオ放送等、聴くため、あるいは見るための選択の対象となるものをメディア、チェンジャ付きＣＤプレーヤ、ＴＶチューナ、ラジオチューナ等、上記メディアをビジュアル／オーディオ信号に変換するものを入力デバイスとするオーディオ・ビジュアルシステムにおいて、ディスプレイ画面に複数のメディア画像を表示し、所望のメディア画像を選択して該メディアをビジュアル／オーディオ信号に変換して出力する場合である。
かかるシステムにおいて、オペレータ操作によりメディア画像を初期表示位置から任意の位置に移動し、種類に応じてメディア画像をグルーブ化したり、又、メディア画像の使用頻度等により自由に重ね合わせて表示できるようになっている。
【０００３】
図７は移動及び重ね合わせ表示法の概略説明図である。図中、５１ａ〜５３ａはメディア画像、５１ｂ〜５３ｂはレイヤ（レイヤ１〜レイヤ３）、５４は表示画面である。表示画面５４に重ね合わせて表示されるメディア画像５１ａ〜５３ａはそれぞれ独立のレイヤ、すなわち、レイヤ１〜レイヤ３上に存在するものとして管理される。レイヤはそれぞれがレイヤナンバーを持ち、表示画面５４への画像は、上位レイヤに存在するものを優先して表示画面の前面側に表示する。図７では最上位レイヤであるレイヤ３のメディア画像５３ａが表示画面に対して手前側に表示され、次に、メディア画像５２ａ，メディア画像５１ａの優先順に表示される。従って、表示画面上で重なる部分は、優先順位が最も高い（最上位レイヤにある）ものが優先して表示される。すなわち、各メディア画像を構成する絵素毎に上位レイヤのメディア画像と重なるか調べ、重ならない場合には「表示する」ものとし、重なる場合には「表示しない」ものとすることにより表示領域データを作成する。
【０００４】
各メディア画像の移動は、画像が属するレイヤ上で移動する。例えば、メディア画像５２ａはレイヤ２上を移動し、上記規則に従って表示画面上に表示される。又、移動前と移動後とで、移動メディア画像と表示画面上で重なるメディア画像が全く異なる場合には、当該移動メディア画像は最上位レイヤに存在レイヤが変り、最上位レイヤに存在していたメディア画像は、１つ下のレイヤに存在レイヤを変え、以後、移動メディア画像の存在したレイヤの１つ上位のレイヤに存在するメディア画像まで全てのメディア画像に対して同様に存在レイヤを変える。これにより、移動メディア画像を表示画面の前面に表示できる。従って、メディア画像を初期表示位置からオペレータ操作により任意の位置に移動し、種類に応じてメディア画像をグルーブ化したり、又、メディア画像の使用頻度等により自由に重ね合わせて表示することができる。
【０００５】
各メディア画像には、メディアテーブルが設けられており、▲１▼メディア画像固有のメディアＩＤ、▲２▼メディア画像が所属するレイヤのレイヤナンバー、▲３▼メディア画像データ、▲４▼表示位置データ、▲５▼表示領域データ（見える領域と見えない領域を示すデータ）等が格納される。従って、このメディアテーブルに記憶されている、レイヤナンバーを参照して優先順に重ね合わせ表示や、移動時の所属するレイヤの変更操作が行われる。
【０００６】
各メディア画像は入力デバイスよりシステム制御部に入力され、ディスプレイ画面上の初期位置に表示され、しかる後、オペレータ操作で所定の位置に移動表示される。すなわち、入力デバイスは新たに出力可能なメディアが発生すれば、システム制御部へその旨の通知を行うと共に、メディア画像を送る。システム制御部はメディアテーブルを作成すると共に、該メディア画像を入力デバイスに対応して予め定められているディスプレイ画面の初期位置の最前面に表示する。以後、オペレータがマウス等の操作で該メディア画像を所定の位置に移動表示する。例えば、車載用のオーディオ・ビジュアルシステムにおいて、あるＴＶ放送チャンネルの受信電界強度が設定値以上になって該チャンネル放送（メディア）の受信が可能になれば、ＴＶチューナはシステム制御部へその旨の通知を行うと共に、メディア画像（例えば受信画像）を送る。システム制御部はメディアテーブルを作成すると共に、該メディア画像をＴＶチューナに対応して予め定められているディスプレイ画面の初期位置の最前面に表示し、しかる後、オペレータ操作に従って所定の表示位置に移動して表示する。
【０００７】
【発明が解決しようとする課題】
ところで、ディスプレイ画面に表示されているメディア画像に応じたメディアの出力が不可能になる場合がある。例えば、メディアがＴＶ放送あるいはラジオ放送の場合、車両の移動により受信状態が悪化してＴＶ放送、ラジオ放送が受信できなくなった場合である。又、ＣＤプレーヤ、チェンジャ付きＣＤプレーヤにおいて、プレーヤに装着するＣＤを取り除いた場合である。かかる場合、メディア画像の表示法として、それ迄の表示位置にメディア画像を表示し続けることが考えられる。
しかし、この方法では、出力できないメディア画像が表示されているため、ユーザが該画像を選択してもメディア出力がなされず、メディア出力がないことにより、あるいは、ブザー等の警報によりユーザは該メディアが出力不可能なものであったと初めて認識することになり、使い勝手が悪いという問題がある。又、メディア画像として受信画像を表示する場合には、受信状態の悪い映像が表示され続けるため、見苦しく、しかも、心理上圧迫感を与え操作性能を悪くする問題がある。
【０００８】
以上から、本発明の第１の目的は、出力できなくなったメディアの画像を消去することにより操作性能を向上できるメディア画像表示方法を提供することである。
又、本発明の第２の目的は、出力できなくなったメディアのメディア画像を消去すると共に、消去したメディア画像の位置を記憶しておき、該メディアが再び出力できるようになった時、元の表示位置にメディア画像を表示するメディア画像表示方法を提供することである。
【０００９】
【課題を解決するための手段】
上記第１の目的は本発明によれば、見ようとするもの、あるいは聴こうとするものをメディアと定義するとき、出力可能なメディアを検出する手段、該出力可能なメディアに応じた画像をディスプレイ画面に表示する手段、所定のメディア画像を指示することにより、該画像に応じたメディアの出力を行う手段、出力不可能なメディアを検出する手段、出力不可能なメディアを検出した場合には、該メディアの画像を消去する手段により達成される。
又、上記第２の目的は本発明によれば、見ようとするもの、あるいは聴こうとするものをメディアと定義するとき、出力可能なメディアを検出する手段、該出力可能なメディアに応じた画像をディスプレイ画面に表示する手段、所定のメディア画像を指示することにより、該画像に応じたメディアの出力を行う手段、出力不可能なメディアを検出する手段、出力不可能なメディアを検出した場合には、該メディアの画像を消去すると共に、その表示位置を記憶する手段、該消去したメディアが出力可能になった時、前記記憶してある表示位置に消去したメディア画像を表示する手段により達成される。
【００１０】
【発明の実施の形態】
（Ａ）第１実施例
(a) 構成
図１は本発明の第１実施例におけるメディア画像表示システムの構成図である。１１1〜１１3はＴＶチューナ、ラジオチューナ、チェンジャ付きＣＤプレーヤ等の入力デバイスであり、それぞれデバイス本体部１１11〜１１31とメディア対応テーブル１１12〜１１32を備えている。メディア対応テーブル１１12には各ＴＶ放送チャンネル（メディア）とメディアＩＤの対応が格納され、メディア対応テーブル１１22には各ラジオ放送チャンネル（メディア）とメディアＩＤの対応が格納され、メディア対応テーブル１１32には各ＣＤ（メディア）とメディアＩＤの対応が格納される。
【００１１】
１２は画像処理プロセッサを内蔵するシステム制御部、１３はメディアテーブル、１４は表示部、１５はマウス等の入力部、ＩＭ１〜ＩＭnはメディア画像である。メディアテーブル１３には、図２に示すように、メディア毎にメディアＩＤに対応させて、▲１▼レイヤ情報、▲２▼メディア画像データ、▲３▼表示位置データ、▲４▼表示領域データ、▲５▼退避画面データが記憶される。レイヤ情報はメディア画像が属するレイヤのナンバーであり、表示位置データはディスプレイ画面上の表示位置を示すデータ、表示領域データは重ね合わせにより、メディア画像が「見える領域」と「見えない領域」を示すデータ、退避画面データはメディア画像を消去したとき消去位置に表示する画像のデータ、すなわち、メディア画像が無い場合に表示される画像のデータである。
【００１２】
(b) 入力デバイスとしてのＴＶチューナの構成
図３は入力デバイスとしてのＴＶチューナの構成図であり、１１11はデバイス本体部、１１12はメディア対応テーブルである。デバイス本体部１１11において、２１はアンテナ、２２ａは第１チューナ、２２ｂは第２チューナ、２３，２４は第１チューナに接続された映像受信回路、音声受信回路、２５は第２チューナに接続された映像受信回路、２６は映像受信回路から出力される１画面分の映像を記憶するビデオメモリ、２７は受信電界強度検出部であり、受信電界強度が設定レベル以上か否かに応じて受信可能／不可能信号を出力するもの、２８は受信制御を行うと共に、システム制御部１２とデータ授受するプロセッサである。
【００１３】
第１チューナ２２ａはユーザにより選局されたチャンネルの映像と音声を出力するものであり、第２チューナ２２ｂはプロセッサ２８の制御により所定周期で受信チャンネルを切り換えて受信可能なチャンネルを識別するものである。プロセッサ２８は所定チャンネルの放送（メディア）の受信電界強度が設定レベル以上になって該メディアの出力が可能になれば、システム制御部１２（図１）にその旨を通知すると共に、以後、ビデオメモリ２６に記憶される受信映像をシステム制御部１２に送信する。又、受信電界強度が設定レベル以下になれば、メディアの出力が不可能になった旨をシステム制御部１２に通知する。以上では、２つのチューナを設けた場合であるが１つのチューナにより構成することもできる。
ラジオチューナは図示しないがＴＶチューナと同様な構成になっている。又、チェンジャ付きＣＤプレーヤは、ＣＤのレーベル（メディア画像）を読み取る画像入力機とプロセッサを備え、これらによりＣＤ交換、ＣＤ除去を検出してシステム制御部１２にメディアの出力可能／不可能を通知すると共に、メディア画像を送信するようになっている。
【００１４】
(c) 全体の動作
出力可能なメディアが新たに発生すると、例えば、所定のチャンネル放送(メディア)の受信電界強度が設定レベル以上になって、該メディアの出力が可能になると、入力デバイスであるＴＶチューナ１１1（図１）はシステム制御部１２にメディアの発生を通知する。これにより、システム制御部１２は、通知されたメディアにシステム内でユニークな識別子であるメディアＩＤを付与する。
ついで、システム制御部１２は、メディアテーブル１３にメディアＩＤをタグとする当メディアの管理テーブル（図２参照）を作成すると共に、ＴＶチューナ１１1に該メディアＩＤを通知する。ＴＶチューナ１１1はメディア（チャンネル放送）と受信したメディアＩＤをメディア対応テーブル１１12に登録する。以後、ＴＶチューナ１１1とシステム制御部１２間では、当該メディアに関する情報を受渡すときは該情報にメディアＩＤを付けて識別する。
【００１５】
ついで、ＴＶチューナ１１1はビデオメモリ２６（図３）に記憶されているチャンネル放送の映像をメディア画像としてシステム制御部１２に送信する。システム制御部１２は受信したメディア画像を、メディアＩＤに対応させてメディアテーブル１３に記憶すると共に、ＴＶチューナに割り当ててある初期表示位置に表示されている画像を退避画面データとしてメディアＩＤに対応させてメディアテーブル１３に保存し、しかる後、メディア画像を該初期表示位置に表示する。以後、所定周期で該メディア画像がＴＶチューナ１１1より送られて来るから該メディア画像を初期表示位置に表示し続ける。
【００１６】
かかる状態で、ユーザがマウス等の操作により該メディア画像を選択して移動操作すると、移動先に表示されている画像を退避画面データとしてメディアテーブル１３に登録し、しかる後、移動操作されたメディア画像を移動先に表示する。以後、所定周期で該メディア画像がＴＶチューナ１１1より送られて来るから該メディア画像を該移動先に表示し続ける。
各メディア画像が所定の位置に表示されている状態において、ユーザが入力部１５より所望のメディア画像を選択してその出力を指示すると、システム制御部１２は選択されたメディアがオーディオであればオーディオ出力し、ビジュアルであれば表示部にビジュアル出力する。
【００１７】
又、出力可能であったメディアが出力不可能になると、例えば、出力可能としてメディア画像がディスプレイ画面に表示されているチャンネル放送（メディア）が車の移動により受信不可能（出力不可能）になると、ＴＶチューナ１１1はシステム制御部１２にメディア番号を付して出力不可能通知をする。システム制御部１２は出力不可能通知を受信すれば、該通知に含まれるメディアＩＤに対応させてメディアテーブル１３に記憶してある退避画像を読み取ってメディア画像が表示されている位置に表示すると共に、メディアテーブル１３に記憶してある当該メディアＩＤの管理テーブルを全て消去する。しかる後、システム制御部１２はＴＶチューナ１１1にメディア対応テーブル１１12よりメディアＩＤの削除を指示する。これにより、ＴＶチューナ１１1はメディア対応テーブル１１12よりメディアＩＤを削除する。
【００１８】
以上のように、第１実施例によれば、出力不可能になったメディアの画像（メディア画像）を表示画面より自動的に削除するようにしたから、ユーザが出力不可能なメディアを選択するという煩わしさがなくなる。又、メディア画像として受信映像を表示する場合には、受信状態の悪い映像が表示され続けることがない。
【００１９】
（Ｂ）第２実施例
(a) 原理
第１実施例では出力不可能になったメディア画像を単に消去した場合である。この第１実施例によれば、出力不可能になったメディアが再び出力可能になると、初期位置にメディア画像を表示し、しかる後、オペレータ操作で該メディア画像を種類の同じメディア画像が表示されている位置に移動してグルーブ化する必要がある。このため、入力デバイスがＴＶチューナ、ラジオチューナの場合には、車両の移動に伴って頻繁にメディアが出力可能になったり、出力不可能になったりし、その都度、メディア画像の分類のための移動操作が必要になる。すなわち、第１実施例では、ユーザが各メディア画像を分類した情報が失われ、再び分類する必要があり、操作性能上好ましくない。そこで、第２実施例では、メディアが再び出力可能になった時、メディア画像を以前に表示していた位置に直接表示できるようにするものである。
【００２０】
(b) 構成
図４は本発明の第２実施例におけるメディア画像表示システムの構成図であり、図１の第１実施例と同一部分には同一符号を付している。第１実施例と異なる点は、▲１▼入出力切換部３１及び入力デバイステーブル３２が設けられている点、▲２▼メディア対応テーブル１１12〜１１32において、メディアに対応させてメディアＩＤの他に、待機情報を記憶する点、▲３▼メディアテーブル１３に、メディアＩＤに対応させて新たに待機情報と入力デバイスＩＤを登録した点（図５）、▲４▼ディスプレイ画面に各入力デバイスの画像を表示した点、▲５▼ディスプレイ画面にシステム画面と入力デバイス画面を適宜表示する点である。
【００２１】
図５はメディアテーブル１３の構成図であり、メディア毎にメディアＩＤに対応させて、▲１▼待機情報、▲２▼レイヤ情報、▲３▼メディア画像データ、▲４▼表示位置データ、▲５▼表示領域データ、▲６▼退避画面データ、▲７▼入力デバイスＩＤが登録される。待機情報とは、メディアの出力が不可能になってメディア画像をディスプレイ画面から消去する際に、該メディアの管理データをメディアテーブルより消去するか、消去せずに残しておくかを指示する情報であり、待機が指示されている場合には消さずに残しておき（管理の継続）、待機が指示されていない場合には消去する（管理の放棄）。メディア対応テーブル１１12〜１１32における待機情報も同一の意味を有している。待機するか否かの設定法は後述する。
【００２２】
図６は入力デバイステーブル３２の構成図である。入力デバイステーブル３２は、ディスプレイ画面に各入力デバイスの画像を表示するためのものであり、予め各入力デバイスＩＤに対応させて表示位置データ、表示領域データ、表示画像データが登録されている。入力デバイステーブル３２における各デバイスＩＤの項目は、システムに新規に入力デバイスが接続されるとき、システム制御部１２が当該入力デバイスの識別子としてデバイスＩＤを付与して記入し、以後、デバイスＩＤを送受信情報に付加して入力デバイスと通信を行う。表示位置、表示領域データは、システム制御部１２が決定してテーブルに登録しても良いし、当該入力デバイスがシステム制御部１２に通知して登録することもできる。システム制御部１２は、この入力デバイステーブル３２を参照してディスプレイ画面（図４では画面下方）に各入力デバイスの画像を表示する。
【００２３】
表示部１４に表示する表示画面には２種類存在する。すなわち、分類された複数のメディア画像を表示し所望のメディアを選択させるためのシステム画面１４ａと、入力デバイス毎に出力される各入力デバイス固有の制御パラメータを設定するための入力デバイス画面１４ｂである。この入力デバイス画面１４ｂをディスプレイ画面に表示して、メディア毎に上記待機情報その他の設定を行う。システム制御部１２はシステム画面１４ａの管理はするが、入力デバイス画面１４ｂの管理はしない。又、各入力デバイスはシステム画面の管理はしないが、自分の入力デバイス画面の管理はする。
【００２４】
(c) 動作
以下、第２実施例の動作を説明する。尚、各メディア、各入力デバイスに関するメディアテーブル１３、入力デバイステーブル３２の作成は完了し、又、各入力デバイス１１1〜１１3のメディア対応テーブル１１12〜１１32の作成も完了しており、表示部１４にはシステム画面１４ａが表示され、入力部１５は入出力切換部３１を介してシステム制御部１２に接続されている状態にあるものとする。
入力部１５によりシステム画面１４ａに表示されている所定の入力デバイスを選択すると、システム制御部１２は該選択された入力デバイスに当該デバイスの操作要求があったことを通知する。又、システム制御部１２は入出力切換部３１を制御して表示部１４、入力部１５をそれぞれシステム制御部１２から選択された入力デバイスに切り換える。
【００２５】
入力デバイスは、上記操作要求があると当該入力デバイスが管理できるメディアについて待機情報の設定を促す入力デバイス画面１４ｂを表示部１４に出力し、入力部１５からの待機情報の設定を待つ。待機情報はメディア毎に設定され、メディアが出力不可能になったとき、システム制御部１２に該メディアの管理を継続するか（管理情報の保持）、管理を放棄するか（管理情報の消去）を示すものである。
入力部１５から所定のメディアについて待機情報の設定があると、入力デバイスは該待機情報をメディアに対応させてメディア対応テーブルに登録すると共に、メディアＩＤを付加して該待機情報をシステム制御部１２に通知する。システム制御部１２は待機情報を受信すると、メディアテーブル１３における当該メディアＩＤの待機情報を更新する。
【００２６】
以上の待機情報の設定を全入力デバイスについて完了すれば、ユーザはシステム画面を表示するように入力部１５を操作する。入力デバイスは、入力部１５よりシステム画面の表示要求があると、入力切換部３１を制御して表示部１４、入力部１５をシステム制御部１２に接続させ、又、システム制御部１２にシステム操作要求があったことを通知する。
システム制御部１２は、該通知を受信すると、表示部１４に入力デバイス画面に切り替わる直前のシステム画面１４ａを再表示する。
【００２７】
かかるシステム画面が表示されている状態において、任意のメディアが出力不可能になった場合、システム制御部１２はメディアテーブル１３に記憶されているメディアＩＤの待機情報を参照する。
待機情報が管理を放棄することを示している場合には、第１実施例と同様に退避画面をメディアの表示位置に表示して該メディア画像を消去すると共に、当該メディアの管理情報を全てメディアテーブル１３より削除する。
一方、待機情報が管理継続を示している場合には、システム制御部１２はシステム画面から当該メディアのメディア画像を消去するが、当該メディアの管理情報はメディアテーブル１３から削除しないで保持する。
【００２８】
そして、出力不可能になったメディアが再び出力可能になれば、メディアテーブル１３を参照して当該メディアのメディアＩＤに対応して登録されている表示位置データ、表示領域データを求め、該位置に当該メディア画像を表示する。すなわち、以前に表示されていたメディア画像の表示位置に再び当該メディア画像を表示する。
以上のように、第２実施例によれば、待機情報を追加することにより、メディアが出力不可能になってもユーザが分類した表示位置データ、表示領域データを保存でき、再度出力可能になった時、以前に表示されていた位置に再表示でき、ユーザがその都度メディア画像を移動して分類する必要がなくなる。
以上、本発明を実施例により説明したが、本発明は請求の範囲に記載した本発明の主旨に従い種々の変形が可能であり、本発明はこれらを排除するものではない。
【００２９】
【発明の効果】
以上本発明によれば、見ようとするもの、あるいは聴こうとするものをメディアと定義するとき、メディアに応じた画像をディスプレイ画面に表示し、所定の画像を指示することにより、該画像に応じたメディアの出力を行い、出力不可能なメディアが発生した場合には、該メディアの画像を消去するようにしたから、ユーザが出力不可能なメディアを選択するという煩わしさがなくなり、しかも、メディア画像として受信画像を表示する場合には、受信状態の悪い映像が表示され続けることをなくすことができる。
【００３０】
又、本発明によれば、出力不可能なメディアが発生した場合には、該メディアの画像を消去すると共に、その表示位置を記憶し、該消去したメディアが出力可能になった時、前記記憶してある表示位置にメディア画像を表示するようにしたから、ユーザがその都度メディア画像を移動して分類する必要がなく、操作性能を向上することができる。
【図面の簡単な説明】
【図１】本発明のメディア画像表示システムの構成図である。
【図２】メディアテーブルの説明図である。
【図３】ＴＶチューナの構成図である。
【図４】本発明のメディア画像表示システムの別の構成図である。
【図５】第２実施例におけるメディアテーブルの説明図である。
【図６】入力デバイステーブルの説明図である。
【図７】移動及び重ね合わせ表示の説明図である。
【符号の説明】
１１1〜１１3・・入力デバイス
１１11〜１１31・・デバイス本体部
１１12〜１１32・・メディア対応テーブル
１２・・システム制御部
１３・・メディアテーブル
１４・・表示部
１５・・マウス等の入力部
【図１】
0003982642.tif 000002
【図２】
0003982642.tif 000003
【図３】
0003982642.tif 000004
【図４】
0003982642.tif 000005
【図５】
0003982642.tif 000006
【図６】
0003982642.tif 000007
【図７】
0003982642.tif 000008